(57)【要約】【課題】ダイナミックレンジの広いテレビ受信システムを提供する。【解決手段】複数のアンテナからの信号を入力する該アンテナと同数の入力端子と，該入力端子から入力された信号を減衰させる前記アンテナと同数の第１の信号減衰手段と，第１の信号減衰手段の出力信号を合成信号とする混合手段と，この合成信号を減衰させる第２の信号減衰手段と，第２の信号減衰手段から出力される合成信号を増幅する増幅手段と，出力手段とから成るテレビ受信用増幅装置と，この増幅装置において所定レベルに増幅された合成信号の中から，所定のテレビ信号を選局する自動利得調整手段を備えた自動利得調整付きの選局手段と該選局手段において選局した信号を復調する復調手段を備えた端末側装置と，から成り，前記第１及び第２の信号減衰手段は，前記自動利得調整手段から出力される選局手段用の制御出力に対応して生成される信号減衰手段用の制御電圧で制御する。【選択図】  図４
2006270899.tif 000002
【特許請求の範囲】
【請求項１】
複数のテレビ放送波受信用のアンテナにて受信し，それぞれのアンテナから同軸ケーブルによって引き込むように構成したテレビ信号用のテレビ受信用増幅装置と，該テレビ受信用増幅装置から一本の同軸ケーブルで引き込まれた信号用の端末側装置を備えたテレビ受信システムにおいて，
前記テレビ受信用増幅装置は，少なくとも，複数のアンテナからの信号を入力するための該アンテナと同数の入力手段と，該入力手段から入力されたテレビ信号を減衰させる前記アンテナと同数の第１の信号減衰手段と，夫々の第１の信号減衰手段において減衰された出力信号を混合し合成信号として出力する混合手段と，該混合手段から出力される合成信号を減衰させる第２の信号減衰手段と，前記第２の信号減衰手段にて減衰された合成信号を増幅する増幅手段と，出力手段と，から成り，
前記端末側装置は，少なくとも，前記テレビ受信用増幅装置において所定レベルに増幅された合成信号を入力するための入力手段と，該入力手段から入力された合成信号から希望の信号を選択的に取り入れ，減衰・増幅する自動利得調整付きの増幅部と，該増幅部から出力される希望信号を，この希望信号より周波数の低い周波数に変換するための周波数変換部とから成る選局手段と，該選局手段において選局した信号を復調する復調手段と，該復調手段において復調された信号を出力する出力手段と，前記増幅部による増幅後の希望信号が所定レベルとなるように，該希望信号に基づいて前記増幅部の利得を制御するための制御電圧を生成する増幅部用の自動利得調整手段と，該増幅部用の自動利得調整手段から出力される増幅部用の制御電圧に対応して信号減衰手段用の制御電圧を生成するための信号減衰手段用の制御電圧生成手段と，から成り，
前記テレビ受信用増幅装置に備えた第１の信号減衰手段及び前記第２の信号減衰手段は，前記端末側装置と前記テレビ受信用増幅装置と結ぶ信号線を介して，前記端末側装置における前記信号減衰手段用の制御信号生成手段によって生成された前記信号減衰手段用の制御電圧によって減衰量を制御するように構成したことを特徴としたテレビ受信システム。
【請求項２】
前記端末側装置は，少なくとも，前記テレビ受信用増幅装置において所定レベルに増幅された合成信号を入力するための入力手段と，該入力手段から入力された合成信号から希望の信号を選択的に取り入れ減衰・増幅する自動利得調整付きのＲＦ増幅回路と，該ＲＦ信号を周波数変換部において周波数変換したＩＦ信号を増幅するためのＩＦ増幅回路とからなる増幅部であって，前記端末側装置に入力される信号が第１の所定レベル範囲であるときはＲＦ増幅回路が自動利得調整付きの増幅回路として動作すると共に，ＩＦ増幅回路の自動利得調整回路は動作しない通常の増幅回路として動作し，前記第１の所定レベル範囲とは異なる第２の所定レベル範囲である時はＩＦ増幅回路が自動利得調整付きの増幅回路とし，ＲＦ増幅回路の自動利得調整回路は動作しない通常の増幅回路として動作する増幅部と，前記ＲＦ増幅回路から出力される希望信号を，この希望信号より周波数の低いＩＦ信号に変換するための周波数変換部とから成る選局手段と，該選局手段において選局した信号を復調する復調手段と，該復調手段において復調された信号を出力する出力手段と，前記端末側装置に入力される前記第１の所定レベル範囲若しくは第２の所定レベル範囲に対応して，前記増幅部による増幅後の希望信号が所定レベルとなるように，前記ＲＦ信号増幅回路若しくは前記ＩＦ増幅回路の減衰・増幅を制御する増幅部用の制御電圧を出力する増幅部用の自動利得調整手段と，該増幅部用の自動利得調整手段から出力される前記増幅部用の制御電圧に対応して，信号減衰手段用の制御電圧を生成する信号減衰手段用の制御電圧生成手段と，から成り，
前記テレビ受信用増幅装置に備えた第１の信号減衰手段及び前記第２の信号減衰手段は，前記端末側装置と前記テレビ受信用増幅装置とを結ぶ信号線を介して，前記端末側装置における前記信号減衰手段用の制御信号生成手段によって生成された前記信号減衰手段用の制御電圧によって減衰量を制御するように構成したことを特徴とした請求項１に記載のテレビ受信システム。
【請求項３】
前記テレビ受信用増幅装置には，前記各入力端子と各第１の信号減衰手段との間に，アンテナで受信したテレビ信号を通過し直流電源を阻止するコンデンサーと，前記入力端子とコンデンサーとの接続点に接続されて直流電源を通過し前記テレビ信号を阻止するチョークコイルとから成る電源重畳手段を加えて備えたことを特徴とした請求項１又は請求項２に記載のテレビ受信システム。
【請求項４】
少なくとも，前記テレビ受信用増幅装置と前記端末側装置を同一筐体に備えさせたことを特徴とした請求項１乃至請求項３の何れかに記載のテレビ受信システム。
【請求項５】
請求項１乃至請求項４に記載のテレビ受信システムは，地上ディジタル放送受信用であるように構成したことを特徴とするテレビ受信システム。
【請求項６】
複数のテレビ放送波受信用のアンテナにて受信し，それぞれのアンテナから同軸ケーブルによって引き込むように構成したテレビ信号用の受信端末装置において，
該受信端末装置は，少なくとも，請求項１乃至請求項３の何れかに記載の前記テレビ受信用増幅装置と前記端末側装置を同一筐体に備えて成るをことを特徴とした受信端末装置。
【請求項７】
請求項６に記載の受信端末装置は，地上ディジタル放送受信用であるように構成したことを特徴とする受信端末装置。
【発明の詳細な説明】
【技術分野】
【０００１】
本発明は，主にテレビ放送受信用に利用されるテレビ受信システムに関し，詳しくは主に移動体に利用され，地上ディジタル放送を受信するための受信システム及びこれに用いるテレビ受信用増幅装置，及び，端末側装置に関する。
【背景技術】
【０００２】
従来からテレビ受信用増幅装置は，テレビ放送用のアンテナの近傍に取付けられて使用するものや，テレビやＶＴＲ等の端末側装置の近傍に取付けられるものがあった。前者はアンテナの近傍に取付けることになるため，テレビの画像を見ながら利得調整，アッテネータ等の作業をするためには工事者一人では無理があり，作業効率が著しく悪いものであった。
一方後者は，アンテナと増幅装置との間に介設した同軸ケーブルの伝送損失によって，増幅装置への入力レベルが低下しＣ／Ｎが劣化してしまう場合があった。そこで，このような問題点を解決するために，増幅装置をアンテナ近傍に設置する第１の増幅部と，端末側装置の近傍に設置する第２の増幅部とに分けたものが提案されおり，テレビアンテナで受信された信号は，同軸ケーブルを介して第１の増幅部に入力される。入力された信号は切換手段であるリレーでもって，第１の増幅器若しくは減衰器が選択されてから，電源分離フィルタを通過後に第１の増幅部から出力される。この選択は第２の増幅部に備えさせたスイッチの入り切りによって，この第２の増幅部に備えさせた電源から第２の増幅部の電源分離フィルタ，同軸ケーブル，第１の増幅部の電源分離フィルタを通してリレーに電源が入り切りされ，これによる当該リレーの切換えによって行われる。
更に第２の増幅部に備えさせた電源からは，前記第１の増幅器及び前記第２の増幅部に備えさせた第２の増幅器にも最適な電源が供給される。こうして第１の増幅部において増幅された受信信号は，同軸ケーブルを介して前記第２の増幅部に入力される。この入力信号は電源分離フィルタを通過後，可変減衰器で適宜利得調整されてから第２の増幅器で増幅された後に第２の増幅部から出力され，テレビ受像機２３に供給される。
従ってこの実施例では，テレビ受像機を見ながら利得調整ができるばかりでなく，スイッチの操作で増幅装置のダイナミックレンジを広げることができるので，電界強度が大きく異なる地域用に共通に使用できるテレビ受信用増幅装置が提供されている。
（例えば特許文献１参照）
【０００３】
【特許文献１】特開平６−３２６５３４号公報
【発明の開示】
【発明が解決しようとする課題】
【０００４】
しかし，従来のＴＶ受信用増幅装置によると，例えばＵＨＦ帯で開始される地上ディジタル放送を受信することを考えると，テレビ放送が２０１１年に完全にディジタル化されるまで，今現在における電波状態から，新たにＵＨＦ帯のチャンネルが増えたり，アナログ受信，ディジタル受信の相互に影響が出ないように対策をするために，地上ディジタル放送波の送信電力を徐々に増力したりすることになり，受信状況が変わる。これによって，テレビ受信用増幅装置には今まで以上に多チャンネルの信号が入力されたり，入力レベルが高く成ったりすることになり，増幅装置に過大レベルの入力信号が入力され，最悪の場合，増幅装置が歪んで映像に妨害を与えることになる。
【０００５】
ところで，地上ディジタル放送は高画質・高音質な放送ばかりでなく，データ放送などのサービスが受けられるのであるが，その利用方法の１つとして，例えば自家用車，タクシー等の移動体において，地上ディジタル放送を楽しむことが考えられる。このような場合，地上ディジタル用のアンテナを車のルーフ等に設置して，地上ディジタル放送用のチューナーなどの端末側装置を車内やトランクルーム等に設置し，運転席のダッシュボードや，シート等に設置された液晶テレビで見るような受信システムが考えられる。このシステムでは，アンテナからの同軸ケーブルは車内に引き込む必要があるので，テレビアンテナと端末側装置との間に介設される伝送線は，車体に合わせて配線するために可曲性に優れ，且つ，車内への引き込みが容易なように，細径の同軸ケーブルが適している。しかし，細径の同軸ケーブルは，一般的にホーム共同受信システムに用いられる５Ｃ相当の同軸ケーブルに対して伝送損失が大きく，その値は使用する周波数帯が高いほど大きくなることから，端末側装置（例えば，地上ディジタル放送用チューナー）に入力される信号レベルが低下し，これによって受信のＣ／Ｎ特性が劣化することになる。
【０００６】
そこで，アンテナと端末側装置との間にテレビ受信用増幅装置を介設して，安定的に受信をする方法が考えられるのであるが，Ｃ／Ｎを良好に保つには，増幅装置をアンテナ給電部に内蔵させたり，若しくはアンテナの近傍に設置したりすることが必要となる。ところが増幅度の高い増幅装置を，アンテナの近傍に配設すれば，発振する場合があるといった問題が有ったり，発信の問題が改善されたとしても，増幅度を上げるために増幅回路の構成部品が多くなったり，シールド性などの向上のためにケースの構造体が複雑になったりすることによって，結果的に増幅装置の外形が大きくなり，コストアップとなるばかりでなく，車両のルーフなどに設置し難いものになってしまうといった問題があった。
【０００７】
また，増幅装置を従来例のように，第１の増幅部と第２の増幅部とに構成して，第１の増幅部と第２の増幅部とを同軸ケーブルで接続するように構成すれば，Ｃ／Ｎの劣化の少ないテレビ受信用増幅装置が出来るのであるが，従来例に示すような回路構成にあっては，地上ディジタル放送波の送信電力などがフルパワーでない地域や，安定的に出されていない地域において使用に最適な状態に設置・調整がなされていても，地上放送における２０１１年以降の完全ディジタル化において，多チャンネル化や送信電力の増力化がなされた時には，増幅装置に過大入力が入力されて，増幅装置の入力がオーバーすることが考えられる。また，車のような移動体での使用においては，短時間の間に電界強度が大きく変化する場合があることを考えると，これらの入力の変化に対応するために，第２の増幅部に備えられたスイッチ操作によって，入力レベルの変化に対応する事は，移動時（即ち運転時）のような時には，瞬時の対応ができないといった問題があった。また，仮に操作可能にするためには，スイッチ操作をやり安いようにするために，第２の増幅部の設置場所が極めて限定されるといった問題があった。
そこで本発明はこのような問題点を解決するためになされたものであり，
その目的は，テレビ受信システムを提供することにある。
他の目的は，自動利得調整機能つきのテレビ受信用増幅装置を備えたテレビ受信システム提供することにある。
他の目的は，特に入力レベルのダイナミックレンジの広くできるテレビ受信用増幅装置を備えたテレビ受信システムを提供することにある。
他の目的は，車載用に適したテレビ受信用増幅装置を備えたテレビ受信システムを提供することにある。
他の目的は，地上ディジタル放送を移動体で楽しむためのテレビ受信用増幅装置を備えたテレビ受信システムを提供することにある。
他の目的は，車載用に適した受信端末装置を提供することにある。
他の目的は，地上ディジタル放送を移動体で楽しむための受信端末装置を提供することにある。
他の目的は，特に入力レベルのダイナミックレンジの広くできる受信端末装置を提供することにある。
他の目的は，特に車などの移動体に容易に取付ができる受信端末装置を提供することにある。
【課題を解決するための手段】
【０００８】
上記課題を解決するために，請求項１の発明は，複数のテレビ放送波受信用のアンテナにて受信し，それぞれのアンテナから同軸ケーブルによって引き込むように構成したテレビ信号用のテレビ受信用増幅装置と，該テレビ受信用増幅装置から一本の同軸ケーブルで引き込まれた信号用の端末側装置を備えたテレビ受信システムにおいて，
前記テレビ受信用増幅装置は，少なくとも，複数のアンテナからの信号を入力するための該アンテナと同数の入力手段と，該入力手段から入力されたテレビ信号を減衰させる前記アンテナと同数の第１の信号減衰手段と，夫々の第１の信号減衰手段において減衰された出力信号を混合し合成信号として出力する混合手段と，該混合手段から出力される合成信号を減衰させる第２の信号減衰手段と，前記第２の信号減衰手段にて減衰された合成信号を増幅する増幅手段と，出力手段と，から成り，
前記端末側装置は，少なくとも，前記テレビ受信用増幅装置において所定レベルに増幅された合成信号を入力するための入力手段と，該入力手段から入力された合成信号から希望の信号を選択的に取り入れ，減衰・増幅する自動利得調整付きの増幅部と，該増幅部から出力される希望信号を，この希望信号より周波数の低い周波数に変換するための周波数変換部とから成る選局手段と，該選局手段において選局した信号を復調する復調手段と，該復調手段において復調された信号を出力する出力手段と，前記増幅部による増幅後の希望信号が所定レベルとなるように，該希望信号に基づいて前記増幅部の利得を制御するための制御電圧を生成する増幅部用の自動利得調整手段と，該増幅部用の自動利得調整手段から出力される増幅部用の制御電圧に対応して信号減衰手段用の制御電圧を生成するための信号減衰手段用の制御電圧生成手段と，から成り，
前記テレビ受信用増幅装置に備えた第１の信号減衰手段及び前記第２の信号減衰手段は，前記端末側装置と前記テレビ受信用増幅装置と結ぶ信号線を介して，前記端末側装置における前記信号減衰手段用の制御信号生成手段によって生成された前記信号減衰手段用の制御電圧によって減衰量を制御するように構成した。
【０００９】
請求項２の発明は，請求項１に記載のテレビ受信システムにおいて，  前記端末側装置は，少なくとも，前記テレビ受信用増幅装置において所定レベルに増幅された合成信号を入力するための入力手段と，該入力手段から入力された合成信号から希望の信号を選択的に取り入れ減衰・増幅する自動利得調整付きのＲＦ増幅回路と，該ＲＦ信号を周波数変換部において周波数変換したＩＦ信号を増幅するためのＩＦ増幅回路とからなる増幅部であって，前記端末側装置に入力される信号が第１の所定レベル範囲であるときはＲＦ増幅回路が自動利得調整付きの増幅回路として動作すると共に，ＩＦ増幅回路の自動利得調整回路は動作しない通常の増幅回路として動作し，前記第１の所定レベル範囲とは異なる第２の所定レベル範囲である時はＩＦ増幅回路が自動利得調整付きの増幅回路とし，ＲＦ増幅回路の自動利得調整回路は動作しない通常の増幅回路として動作する増幅部と，前記ＲＦ増幅回路から出力される希望信号を，この希望信号より周波数の低いＩＦ信号に変換するための周波数変換部とから成る選局手段と，該選局手段において選局した信号を復調する復調手段と，該復調手段において復調された信号を出力する出力手段と，前記端末側装置に入力される前記第１の所定レベル範囲若しくは第２の所定レベル範囲に対応して，前記増幅部による増幅後の希望信号が所定レベルとなるように，前記ＲＦ信号増幅回路若しくは前記ＩＦ増幅回路の減衰・増幅を制御する増幅部用の制御電圧を出力する増幅部用の自動利得調整手段と，該増幅部用の自動利得調整手段から出力される前記増幅部用の制御電圧に対応して，信号減衰手段用の制御電圧を生成する信号減衰手段用の制御電圧生成手段と，から成り，
前記テレビ受信用増幅装置に備えた第１の信号減衰手段及び前記第２の信号減衰手段は，前記端末側装置と前記テレビ受信用増幅装置とを結ぶ信号線を介して，前記端末側装置における前記信号減衰手段用の制御信号生成手段によって生成された前記信号減衰手段用の制御電圧によって減衰量を制御するように構成した。
【００１０】
請求項３の発明は，請求項１又は請求項２に記載のテレビ受信システムにおいて，前記テレビ受信用増幅装置には，前記各入力端子と各第１の信号減衰手段との間に，アンテナで受信したテレビ信号を通過し直流電源を阻止するコンデンサーと，前記入力端子とコンデンサーとの接続点に接続されて直流電源を通過し前記テレビ信号を阻止するチョークコイルとから成る電源重畳手段を加えて備えた。
【００１１】
請求項４の発明は，請求項１乃至請求項３の何れかに記載のテレビ受信システムにおいて，少なくとも，前記テレビ受信用増幅装置と前記端末側装置を同一筐体に備えさせた。
【００１２】
請求項５の発明は，請求項１乃至請求項４に記載のテレビ受信システムは，地上ディジタル放送受信用であるように構成した。
【００１３】
請求項６の発明は，複数のテレビ放送波受信用のアンテナにて受信し，それぞれのアンテナから同軸ケーブルによって引き込むように構成したテレビ信号用の受信端末装置において，
該受信端末装置は，少なくとも，請求項１乃至請求項３の何れかに記載の前記テレビ受信用増幅装置と前記端末側装置を同一筐体に備えて成るように構成した。
【００１４】
請求項７の発明は，請求項６に記載の受信端末装置は，地上ディジタル放送受信用であるように構成した。
【発明の効果】
【００１５】
請求項１の発明によれば，  複数のテレビ放送波受信用のアンテナにて受信し，それぞれのアンテナから同軸ケーブルによって引き込むように構成したテレビ信号用のテレビ受信用増幅装置と，該テレビ受信用増幅装置から一本の同軸ケーブルで引き込まれた信号用の端末側装置を備えたテレビ受信システムにおいて，
前記テレビ受信用増幅装置は，少なくとも，複数のアンテナからの信号を入力するための該アンテナと同数の入力手段と，該入力手段から入力されたテレビ信号を減衰させる前記アンテナと同数の第１の信号減衰手段と，夫々の第１の信号減衰手段において減衰された出力信号を混合し合成信号として出力する混合手段と，該混合手段から出力される合成信号を減衰させる第２の信号減衰手段と，前記第２の信号減衰手段にて減衰された合成信号を増幅する増幅手段と，出力手段と，から成り，
前記端末側装置は，少なくとも，前記テレビ受信用増幅装置において所定レベルに増幅された合成信号を入力するための入力手段と，該入力手段から入力された合成信号から希望の信号を選択的に取り入れ，減衰・増幅する自動利得調整付きの増幅部と，該増幅部から出力される希望信号を，この希望信号より周波数の低い周波数に変換するための周波数変換部とから成る選局手段と，該選局手段において選局した信号を復調する復調手段と，該復調手段において復調された信号を出力する出力手段と，前記増幅部による増幅後の希望信号が所定レベルとなるように，該希望信号に基づいて前記増幅部の利得を制御するための制御電圧を生成する増幅部用の自動利得調整手段と，該増幅部用の自動利得調整手段から出力される増幅部用の制御電圧に対応して信号減衰手段用の制御電圧を生成するための信号減衰手段用の制御電圧生成手段と，から成り，
前記テレビ受信用増幅装置に備えた第１の信号減衰手段及び前記第２の信号減衰手段は，前記端末側装置と前記テレビ受信用増幅装置と結ぶ信号線を介して，前記端末側装置における前記信号減衰手段用の制御信号生成手段によって生成された前記信号減衰手段用の制御電圧によって減衰量を制御するように構成したので，
例えば複数の簡単な構成のダイポールアンテナを接続するだけで，アンテナからの受信信号を合成し，無指向性アンテナように地上ディジタル放送等を安定的に受信できる。また，現時点において地上ディジタル放送波の送信電力などがフルパワーでない地域や，安定的に出されていない地域において使用する場合に，最適な受信状態に成るように設置されたままの状態であっても，２０１１年以降にテレビ放送が完全ディジタル化が行われ，現状の受信状態より多チャンネルの電波が入力されたり，送信電力の増力化がなされたりし，増幅装置に更に大きいレベルの信号が入力されても，自動的に最適な出力レベルが得られる。
【００１６】
請求項２の発明によれば，請求項１に記載のテレビ受信システムにおいて，  前記端末側装置は，少なくとも，前記テレビ受信用増幅装置において所定レベルに増幅された合成信号を入力するための入力手段と，該入力手段から入力された合成信号から希望の信号を選択的に取り入れ減衰・増幅する自動利得調整付きのＲＦ増幅回路と，該ＲＦ信号を周波数変換部において周波数変換したＩＦ信号を増幅するためのＩＦ増幅回路とからなる増幅部であって，前記端末側装置に入力される信号が第１の所定レベル範囲であるときはＲＦ増幅回路が自動利得調整付きの増幅回路として動作すると共に，ＩＦ増幅回路の自動利得調整回路は動作しない通常の増幅回路として動作し，前記第１の所定レベル範囲とは異なる第２の所定レベル範囲である時はＩＦ増幅回路が自動利得調整付きの増幅回路とし，ＲＦ増幅回路の自動利得調整回路は動作しない通常の増幅回路として動作する増幅部と，前記ＲＦ増幅回路から出力される希望信号を，この希望信号より周波数の低いＩＦ信号に変換するための周波数変換部とから成る選局手段と，該選局手段において選局した信号を復調する復調手段と，該復調手段において復調された信号を出力する出力手段と，前記端末側装置に入力される前記第１の所定レベル範囲若しくは第２の所定レベル範囲に対応して，前記増幅部による増幅後の希望信号が所定レベルとなるように，前記ＲＦ信号増幅回路若しくは前記ＩＦ増幅回路の減衰・増幅を制御する増幅部用の制御電圧を出力する増幅部用の自動利得調整手段と，該増幅部用の自動利得調整手段から出力される前記増幅部用の制御電圧に対応して，信号減衰手段用の制御電圧を生成する信号減衰手段用の制御電圧生成手段と，から成り，
前記テレビ受信用増幅装置に備えた第１の信号減衰手段及び前記第２の信号減衰手段は，前記端末側装置と前記テレビ受信用増幅装置とを結ぶ信号線を介して，前記端末側装置における前記信号減衰手段用の制御信号生成手段によって生成された前記信号減衰手段用の制御電圧によって減衰量を制御するように構成したので，
例えば複数の簡単な構成のダイポールアンテナを接続するだけで，アンテナからの受信信号を合成し，無指向性アンテナように地上ディジタル放送等を安定的に受信できる。また，現時点において地上ディジタル放送波の送信電力などがフルパワーでない地域や，安定的に出されていない地域において使用する場合に，最適な受信状態に成るように設置されたままの状態であっても，２０１１年以降にテレビ放送が完全ディジタル化が行われ，現状の受信状態より多チャンネルの電波が入力されたり，送信電力の増力化がなされたりし，増幅装置に更に大きいレベルの信号が入力されても，自動的に最適な出力レベルが得られるばかりでなく，更に加えて移動体における受信のようにレベル変動が大きい電波状態においてもＡＧＣ範囲が大きく取れるので良好な受信が出来るのである。
【００１７】
請求項３の発明によれば，請求項１又は請求項２に記載のテレビ受信システムにおいて，前記テレビ受信用増幅装置には，前記各入力端子と各第１の信号減衰手段との間に，アンテナで受信したテレビ信号を通過し直流電源を阻止するコンデンサーと，前記入力端子とコンデンサーとの接続点に接続されて直流電源を通過し前記テレビ信号を阻止するチョークコイルとから成る電源重畳手段を加えて備えたので，
入力レベルの変化に対するダイナミックレンジが広く，受信信号が小さくても，Ｃ／Ｎ劣化なく受信ができる。
【００１８】
請求項４の発明によれば，請求項１乃至請求項３の何れかに記載のテレビ受信システムにおいて，少なくとも，前記テレビ受信用増幅装置と前記端末側装置を同一筐体に備えさせたので，
例えば移動体等の端末側の受信装置として，利便性・取付性のよいテレビ受信システムを提供できる。
【００１９】
請求項５の発明によれば，請求項１乃至請求項４に記載のテレビ受信システムは，地上ディジタル放送受信用であるように構成したので，
例えば地上ディジタル放送を移動体で受信するのに好適なテレビ受信システムを提供できる。
【００２０】
請求項６の発明によれば，複数のテレビ放送波受信用のアンテナにて受信し，それぞれのアンテナから同軸ケーブルによって引き込むように構成したテレビ信号用の受信端末装置において，
該受信端末装置は，少なくとも，請求項１乃至請求項３の何れかに記載の前記テレビ受信用増幅装置と前記端末側装置を同一筐体に備えて成るように構成したので，
例えば移動体等の端末側の受信装置として，利便性・取付性のよい受信端末装置を提供できる。
【００２１】
請求項７の発明によれば，請求項６に記載の受信端末装置は，地上ディジタル放送受信用であるように構成したので，
例えば地上ディジタル放送を移動体で受信するのに好適な受信端末装置を提供できる。
【発明を実施するための最良の形態】
【００２２】
以下に，本発明を具体化した実施形態の例を，図面を基に詳細に説明する。
図１は本願に係るテレビ受信システムの実施形態を示す概略システム図であり，図２は本願に係るテレビ受信システムの端末側装置を異なる実施例としたときの概略システム図を示す。図３は本願に係るテレビ受信システムの異なる実施例を示す。図４は本願に係る受信端末装置の実施形態を示す概略ブロック図である。図５は本願に係る受信端末装置の異なる実施形態を示す概略ブロック図である。図６は本願のテレビ受信システムを車体に取付けた時の概略図である。
【実施例１】
【００２３】
本願のテレビ受信システムにおける第１の実施形態について図１を用いて説明する。この図において１はテレビ放送受信用のアンテナであり，本願の実施例は，地上ディジタル放送を例えば自動車等の移動体で受信するために，ダイポールからなるＵＨＦアンテナを３つ，相互に離して配設した実施例を示す。
アンテナ１において受信された信号は，同軸ケーブル４を介して２に示すテレビ受信用増幅装置の入力端子Ｉｎｐｕｔから入力される。入力されたテレビ信号は，このテレビ信号を所定範囲で減衰させる第１の信号減衰手段１２に入力される。この第１の信号減衰手段１２は，例えばＰＩＮダイオードからなる所謂π型の減衰器であり，後に詳述する信号減衰手段用の制御電圧生成手段１９において生成される制御電圧に対応した減衰量を得るように構成されている。
尚，図には示されていないが，入力端子と第１の信号減衰手段１２との間に，コンデンサーとコイルとから成る，ＶＨＦ帯の信号や，携帯電話（例えば８００ＭＨｚ帯）を阻止帯域とし，ＵＨＦ帯の信号を通過するように構成された例えばバンドパスフィルタ等のフィルタ手段を設けてもよい。
１３は前記第１の信号減衰手段１２において所定レベルだけ減衰させたテレビ信号を混合して，合成信号として出力する混合手段である。この混合手段１３は例えばフェライトのコアにポリウレタン線を巻回してなる混合器から構成されている。
【００２４】
１５−１は増幅部であって，混合手段１３から出力された合成信号を，所定レベルまで増幅するためのものであり，高周波増幅素子としてのトランジスタやＩＣ等から構成された高周波増幅回路である。次にこの増幅器１５−１において所定のレベルまで増幅された信号は，第２の信号減衰手段１６に入力される。この第２の信号減衰手段１６は，例えばＰＩＮダイオードからなる所謂π型の減衰器であり，後に詳述する信号減衰手段用の制御電圧生成手段１９において生成される制御電圧に対応した減衰量を得るように構成されている。
次に第２の信号減衰手段１６を通過した信号は，増幅部１５−２において更に所定レベルまで増幅される。この増幅部１５−２も，例えば増幅素子としてのトランジスタ若しくはＩＣ等によって構成された高周波増幅回路であり，この増幅部１５−２において所定レベルまで増幅された合成信号は出力端子Ｏｕｔｐｕｔから出力される。尚，本願の実施例では前記増幅部１５−１及び１５−２でもって増幅手段１５を構成している。
また，本願の実施例ではテレビ受信用増幅装置２の動作電源は，テレビ受信用増幅装置２内に，外部からの電源，例えば車のシガーライターから電源を得たり，図のようにＡＣ電源からＡＣプラグ３３ａを介して直流電源を生成する電源圧生成手段３３を設け，この電源電圧生成手段３３から直流電源を得たりするように構成してもよいし，端末側から同軸ケーブル７を介して供給される直流電源で動作するように構成してもよい。
【００２５】
１００は端末側の装置であって，少なくとも，ＡＣプラグ３９ａによって取り入れられたＡＣ電源から，前記直流電源電圧を生成する端末側電源生成手段３９と，前記テレビ受信用増幅装置２との間に介設される伝送線路７から供給される合成信号から，所定のテレビ信号を選択的に選局するための選局手段１０と，該選局手段１０において選局された信号から希望のテレビ信号を復調する復調手段２０を備えている。
一般的にこの端末側装置１００は，テレビ受像機や，ＨＤＤレコーダー等のディジタル家電であってもよいし，地上ディジタル放送用のチューナーであってもよい。また，この端末側装置１００は，上述のように商用電源でなく，例えば車のシガライターのソケットから電源を取るように構成してもよいなど，特にその構成を限定するものではない。
【００２６】
ここで前記端末側装置１００における選局手段１０の実施例について図１を基に説明する。テレビ受信用増幅装置２から出力された合成信号は，同軸ケーブル７を介して端末側装置１００の入力手段Ｉｎｐｕｔから端末側装置１００内部に取り入れられる。１０は選局手段であり，この入力側７ａから入力された前記合成信号から，希望するテレビ信号を選択的に通過させるために電気的にチューニング可能なフィルタ回路３２（例えばバンドパスフィルタ）と，該フィルタ回路３２を通過したテレビ信号を，所定レベルまで減衰・増幅するための増幅部用の制御電圧を生成する増幅部用の自動利得調整手段３６によって制御される自動利得調整回路付きの，例えば増幅素子としてのトランジスタやＩＣからなる増幅回路３３と，該増幅回路３３を通過した信号を所定帯域幅（例えばテレビ信号の帯域である６ＭＨｚ）だけを通過させる狭帯域なフィルタ回路３４（例えばバンドパスフィルタ）と，該フィルタ回路３４から出力された信号を通過すると共に，増幅された信号の一部を分岐端子３５ａに出力するように構成された分岐回路であって，例えばフェライトコアにポリウレタン線を巻回してなる分岐コイルから成る分岐回路３５とから成る増幅部３０と，該分岐回路３５を通過した信号をＩＦ周波数に周波数変換するための，局部発振器４２と周波数変換回路４１とから成る周波数変換部４０と，から成り，選局されたＩＦ帯の信号は出力側９ａから出力される。
この選局手段１０において選局された信号は復調手段２０において復調されてから，出力手段Ｏｕｔｐｕｔから出力される。
【００２７】
更に１９は前記増幅部用の自動利得調整手段３６から出力される制御電圧に対応して，前記テレビ受信用増幅装置２に備えた第１及び第２の信号減衰手段を制御するための制御電圧を生成す信号減衰手段用の制御電圧生成手段であり，例えばオペレーショナルアンプ等から構成されている。この信号減衰用の制御電圧はＡＧＣ  ＯＵＴ８ａから出力されるように構成されており，信号線８を介して前記テレビ受信用増幅装置２にそなえられたＡＧＣ  ＩＮ端子から該受信増幅部２内部に取り入られてから，前記第１の信号減衰手段１２及び第２の信号減衰手段１６に供給されることによって，各減衰手段の減衰量を制御するように構成されているのである。
このように，本願の受信システムにおいては，テレビ受信増幅装置２には複数のアンテナからのテレビ信号を減衰させるための第１及び第２の信号減衰手段を備えさせ，これらの減衰手段を，端末側装置１００に備えられた選局手段１０の，自動利得調整付きのＲＦ増幅回路３０を制御する増幅部用の制御電圧に対応して生成される，信号減衰手段用の制御電圧を用いて制御する自動利得調整付きの受信システムを構成している。
【００２８】
次に端末側装置１００の異なる実施例について図２を用いて説明する。尚，特に明記しない限り上記実施例と同じ構成を示すものは同じ符号を付与し詳細な説明は省略する。
この実施例は，選局手段１０に備えた増幅部として，ＲＦ増幅回路３０とＩＦ増幅回路５０を備えた物である。
テレビ受信用増幅装置２から出力された合成信号は，同軸ケーブル７を介して端末側装置１００の入力手段Ｉｎｐｕｔから端末側装置１００内部の内部に取り入れられる。１０はＲＦ増幅部３０と周波数変換部４０とＩＦ増幅部５０とから成る選局手段である。
ＲＦ増幅部３０は，入力側７ａから入力された前記合成信号から，希望するテレビ信号を選択的に通過させるために電気的にチューニング可能なフィルタ回路３２（例えばバンドパスフィルタ）と，該フィルタ回路３２を通過したテレビ信号を，所定レベルまで減衰・増幅するための，増幅部用の制御電圧を生成するＲＦ増幅部用の自動利得調整手段３６を備えた自動利得調整回路付きの，例えば増幅素子としてのトランジスタやＩＣからなる増幅回路３３と，該増幅回路３３を通過した信号を所定帯域幅（例えばテレビ信号の帯域である６ＭＨｚ）だけを通過させる狭帯域なフィルタ回路３４（例えばバンドパスフィルタ）と，該フィルタ回路３４から出力された信号を通過すると共に，増幅された信号の一部を分岐端子３５ａに出力するように構成された分岐回路であって，例えばフェライトコアにポリウレタン線を巻回してなる分岐コイルから成る分岐回路３５から成る。
【００２９】
更にＲＦ増幅部３０において所定レベルまで増幅され前記分岐回路３５を通過したテレビ信号は，該テレビ信号をＩＦ周波数体の信号に周波数変換するための，局部発振器４２と周波数変換回路４１とから成る周波数変換部４０と，該周波数変換部４０から出力されたＩＦ信号を，所定レベルまで減衰・増幅するためのＩＦ増幅部用の制御電圧を生成する増幅部用の自動利得調整手段５６を備えた自動利得調整回路付きの，例えば増幅素子としてのトランジスタやＩＣからなる増幅回路５３と，該増幅回路５３から出力されたＩＦ信号を通過すると共に，増幅されたＩＦ信号の一部を分岐端子５５ａに出力するように構成された分岐回路であって，例えばフェライトコアにポリウレタン線を巻回してなる分岐コイルから成る分岐回路５５とから成るＩＦ増幅部５０により所定レベルのＩＦ帯の信号として出力側９ａから出力される。
この選局手段１０において選局された信号は復調手段２０において復調されてから，出力手段Ｏｕｔｐｕｔから出力される。
【００３０】
１８ａは端末側装置１００（言い換えれば，前記選局手段１０）に入力される信号レベルに基づいて，前記選局手段１０から出力される希望信号が所定レベルとなるように，前記ＲＦ信号増幅回路若しくは前記ＩＦ信号増幅回路の自動利得調整手段から出力される制御電圧を受け入れ，更にはこれらの制御電圧に基ずいて前記増幅回路の減衰・増幅を制御する制御電圧を出力する増幅部用の自動利得調整手段である。本願においては，前記選局手段１０に入力される信号が第１の所定レベル範囲であるときは，ＲＦ信号増幅回路が自動利得調整付きの増幅回路として動作すると共に，ＩＦ信号増幅回路の自動利得調整回路は動作しない通常の増幅回路として動作し，前記第１の所定レベル範囲とは異なる（例えば，低い）第２の所定レベル範囲である時はＩＦ信号増幅回路が自動利得調整付きの増幅回路とし，ＲＦ信号増幅回路の自動利得調整回路は動作しない通常の増幅回路として動作するように制御電圧を出力するように，オペレーショナルアンプ等を用いて構成されている。尚，入力レベルの判定は，入力部７ａとフィルタ手段３２との間に介設した入力分岐回路３１の分岐端子３１ａから出力された信号を３７に示す入力レベル検出回路で検出することによって，前記増幅部用の自動利得調整手段１８ａの出力を切り替えるように構成されている。
【００３１】
更に前記自動利得調整手段１８ａの出力には，１９ａに示す信号減衰手段用の制御電圧生成手段が接続されており，前記自動利得調整手段１８ａからの制御電圧に基づいて，前記テレビ受信用増幅装置２の信号減衰手段１２，１６を制御するための制御電圧を生成するための信号減衰手段用の制御電圧生成手段である。
このように，本願の受信システムにおいては，テレビ受信増幅装置２には複数のアンテナからのテレビ信号を減衰させるための第１及び第２の信号減衰手段を備えさせ，これらの減衰手段を，端末側装置１００に備えられた選局手段１０の入力レベル範囲に応じて，自動利得調整付きのＲＦ増幅回路及びＩＦ増幅回路を制御する増幅部用の制御電圧に対応して生成される信号減衰手段用の制御電圧を用いて，テレビ受信用増幅装置の信号減衰手段を制御する自動利得調整付きの受信システムを構成しているので，ＡＧＣ動作範囲の広いテレビ受信用増幅装置２を提供できるのである。
【００３２】
図３に本願の実施形態の異なる実施例を示す。尚，上記実施例と同じ構成を示すものは同じ符号を付与し詳細な説明は省略する。この実施例では持１の実施例に加えて，テレビ受信用のアンテナ１とテレビ受信用増幅装置２との間に前置増幅器３を備えさせることができるように構成されたものである。
この前置増幅器３は，少なくとも，例えば図に示されないコンデンサーとコイルとから成る，ＶＨＦ帯の信号や，携帯電話（例えば８００ＭＨｚ帯）を阻止帯域とし，ＵＨＦ帯の信号を通過するように構成された例えばバンドパスフィルタ等のフィルタ手段と，高周波増幅素子としてのトランジスタやＩＣ等から構成された高周波増幅回路と，前記アンテナで受信したテレビ信号を出力側に通過しテレビ受信用増幅装置２から供給される直流電源を阻止するコンデンサーと，この直流電源を通過し前記テレビ信号を阻止するチョークコイルからなる電源分離手段と，から構成されている。
そこで，この前置増幅部３を動作させるために，テレビ受信用増幅装置２の入力端子Ｉｎｐｕｔと前記第１の信号減衰手段１２との間に，前記アンテナで受信したテレビ信号を通過し直流電源を阻止するコンデンサーと，前記直流電源を通過し前記テレビ信号を阻止するチョークコイルからなる入力側電源重畳手段５を備えたのである。この図における６はスイッチであり，電流通過させるかさせないかを選択的に切り替えするためのものであり，実施例に限定されるものではなく備えさせなくてもよい。
尚，この実施例ではテレビ受信用増幅装置２と端末側装置１００の内部に電源生成手段３３，３９が備えられて，ＡＣプラグ３３ａ，３９ａを介して商用電源から直流電源を生成し，該直流電源でテレビ受信用増幅装置２と前置増幅器３と端末側装置１００を動作させるように構成されているが，上述実施例と同様に，それぞれ例えば車のシガライターのソケットから電源を取るように構成してもよいなど，特にその構成を限定するものではない。。
【００３３】
次に本願のテレビ受信用増幅装置１を備えた受信端末装置２００について図４，５を参照して説明する。尚，以下の説明では，上記第１の実施形態のテレビ共同受信用増幅装置２及び端末側装置１００と同様の構成要素については同一符号を付与し，詳細な説明は省略する。
この実施例では，少なくとも，上述のテレビ受信用増幅装置２と該テレビ受信用増幅装置２で増幅された前記合成信号から所定のテレビ信号を選局・復調する選局・復調手段を備えた端末側装置１００とを，同一の筐体に収納して受信端末装置２００を構成したものであり，更に取付性をよくしたものである。尚，図４と図５の実施例の違いは入力端子からアンテナ側に介設したプリアンプへ直流電源を給電できるように構成されているか，されていないかの違いである。
【００３４】
次に，本願の受信端末装置２００を用いた具体的な配線システム例について，図６を用いて説明する。この実施例では少なくともアンテナ１を３つ，例えば車６０の移動体のウインドガラスにに設置したものである。
この図においてアンテナ１は，例えば透明性の良いフィルム状の絶縁体の表面に導電材料を用いてアンテナ素子を形成したダイポールアンテナから成るＵＨＦディジタル放送用のアンテナであり，それぞれ前面側，左右の側面後方（右側面後方のアンテナは図示されていない）の離れた位置であって，３方向を向くように配置させることによって，何れかのアンテナが最適な受信が出来るようにしてある。尚，実施例に示すアンテナの設置の状態は特にこの配置に限定されるものではない。またアンテナの形状も実施例に限定されるものではない。
本願の実施例における前置増幅器３は，前記アンテナの近傍に例えばアンテナの出力と同軸ケーブルによって接続されているのであるが，この前置増幅部３は前記アンテナ１の給電部に内蔵させても良いし，前記アンテナ１の出力端子と前置増幅部３の入力端子とが直接接続できるように端子構造をメイル（雄），フィーメイル（雌）の構成としても良く，出来うる限り短い距離で接続することによって受信信号のＣ／Ｎの劣化が少なくなるように構成するのが良い。
更にアンテナは，図６（ｂ）に示すようにその一部をサイドミラー内部に収納するように構成してもよい。
【００３５】
前置増幅部３において所定レベルまで増幅された受信信号は，同軸ケーブル４を介して本願の受信端末装置２００と接続されている。この同軸ケーブル４は，例えば２Ｃ若しくはそれより細径の可曲性の良い同軸ケーブルが好適であり，車体のラインに合わせて配設を容易にすると共に，アンテナを車外に設置した場合などに，車体内部への引き込み作業を容易としている。尚，前置増幅部３と本願の受信端末装置２００との間に介設される同軸ケーブ４は所定の長さに形成したものを，予め接続した状態にしてもよいし，別体に用意してコネクタで接続できるように構成してもよい。
【００３６】
次に受信端末装置２００について説明する。この受信端末装置２００は同軸ケーブル４を介して車のトランクルーム，シートの下，ダッシュボード等に設置される。
本願の実施例に示す受信端末装置２００は，車に設置された３つのアンテナからのテレビ信号に対応するように，夫々に３系統の自動利得調整回路付きの高周波増幅回路を備えており，前置増幅器３において所定レベルまで増幅されたテレビ信号を，混合手段１３で合成信号とした後に，自動利得調整回路付きの増幅部１５において所定レベルまで増幅されてから，前記合成信号から所定のテレビ信号を選局・復調する選局・復調手段を備えた受信部１００に入力される。この受信部１００において復調された信号は，例えば車のダッシュボード等に設置された液晶テレビ等の表示手段に接続されるのである。
【００３７】
このように本願のテレビ受信用増幅装置２若しくは受信端末装置２００は地上ディジタル放送を受信するために好適であり，これらを用いれば，簡単な構成のダイポールアンテナ１を使った受信システムシステムであっても，これらのアンテナを相互に離して複数個設け，アンテナの設置数に対応した系統の高周波増幅回路を備えさせることによって，それぞれの入力端子にアンテナを接続するだけの簡単な作業で，それぞれのアンテナで受信されたテレビ信号からなる合成信号を生成できるように構成したことによって，電波状況が変化しても，何れかのアンテナで最適な受信が出来るように構成されているのである。また，本願に示す実施例のように構成することによって，特に地上ディジタル放送受信に際して，夫々のアンテナからの信号をダイバーシティー方式のように切り替えて受信することもないので，切り替え時に発生するノイズ等によって画像がフリーズするなどの影響がないし，回路構成が簡単に成るので安価にできるのである。
また，例えば，地上ディジタル放送を受信するために使用する場合のように，現時点において地上ディジタル放送波の送信電力などがフルパワーでない地域や，安定的に出されていない地域において使用する場合に最適な受信状態に成るように設置されたままの状態であっても，２０１１年以降にテレビ放送が完全ディジタル化が行われ，現状の受信状態より多チャンネルの電波が入力されたり，送信電力の増力化がなされたりし，増幅装置に更に大きいレベルの信号が入力されても，自動的に最適な出力レベルが得られるので，入力レベルの変化に対するダイナミックレンジが広い受信できるのである。
加えて，車のような移動体での使用を考えたときに，上述のような受信レベルの変動ばかりでなく，短時間の移動の間に，電界強度が大きく変化する場合があるが，この入力の変化に対応するために，移動時（即ち運転時）に，スイッチ操作によって減衰器の設定を切り換えるような方式の増幅装置と比べて，スイッチ操作をすることもないので，安全性に優れているのである。
更に，スイッチ操作をする必要がないので，テレビ受信用増幅装置２若しくは受信端末装置２００の設置場所は限定されることがなく，極めて利便性の良いテレビ受信用増幅装置及び受信端末装置及びそれらを用いたテレビ受信システムが提供できるのである。
尚，本発明は上記実施の形態に限定されるものではなく，本発明の趣旨を逸脱しない範囲で各部の構成を適宜に変更して実施することも可能である。
【図面の簡単な説明】
【００３８】
【図１】本願に係るテレビ受信システムの実施形態を示す概略ブロック図である。
【図２】本願に係るテレビ受信システムの端末側装置の異なる実施例としたときの概略ブロック図である。。
【図３】本願に係るテレビ受信システムの異なる実施例を示す。
【図４】本願に係る実施形態の受信端末装置を用いた概略ブロック図である。
【図５】本願に係る異なる実施形態の受信端末装置を用いた概略ブロック図である。
【図６】本願の受信端末装置を車体に取付けた時の受信システムを示す概略図である。
【符号の説明】
【００３９】
１…アンテナ，２…テレビ受信用増幅装置，３…前置増幅器，４…伝送線路，５…入力側電源重畳手段，６…スイッチ，７…同軸ケーブル，７ａ…入力部，８…信号線，８ａ…制御信号出力部，９ａ…出力部，１２…第１の信号減衰手段，１３…混合手段，１５…増幅部，１６…第２の信号減衰手段，１７…出力分岐手段，１７ａ…分岐端子，１８・１８ａ…増幅部用の自動利得調整回路，１９・１９ａ…信号減衰手段用の制御電圧生成手段，２０…復調手段，２５…ＡＣプラグ，２６…電源生成手段，３０…ＲＦ増幅回路，３１…入力分岐回路，３１ａ…入力分岐端子，３２・３４…フィルタ手段，３３…増幅回路，３５…出力分岐回路，３５ａ…出力分岐端子，３６…ＲＦ増幅部の自動利得調整回路，３７…入力レベル検出回路，３９ａ…ＡＣプラグ，３９…電源生成手段，４０…周波数変換回路，４２…局部発振器，５０…ＩＦ増幅回路，５３…増幅回路，５５…出力分岐回路，５５ａ…出力分岐端子，５６…ＩＦ増幅部の自動利得調整回路，６０…車体，１００…端末側装置，２００…受信端末装置
【図１】
2006270899.tif 000003
【図２】
2006270899.tif 000004
【図３】
2006270899.tif 000005
【図４】
2006270899.tif 000006
【図５】
2006270899.tif 000007
【図６】
2006270899.tif 000008